(57)【要約】【課題】蓋開閉用レバーを手指で作動し、ＩＣタグ付リストバンドのデーターをタグ読取り装置で読取ると、ロック機構を作動してロック状態を解除して開蓋状態にでき、施蓋すると、ロック機構が作動してロック状態を維持でき、施錠や解錠作業が自動的に行え、時間的な無駄を低減でき、作業能率に優れ、収納物を安全に管理でき、構成簡素で、取扱い易く、使い勝手に優れ、量産に適し、経済的な集配用キャリーボックスを提供する。【解決手段】蓋体２に蓋開閉用レバー３を装着し、ボックス本体１にタグ読取り装置４を装着し、タグ読取り装置４は、ＩＣタグ付リストバンド５のデーターを非接触状態で読取り可能で、且つロック機構に連繋してあり、蓋開閉用レバー３を手指で握ったときに、ＩＣタグのデーターを読取り、ロック機構を作動してロック状態を解除するように構成し、施蓋したときには、ロック機構が作動して、ロック状態を維持できるよう構成する。【選択図】        図３
0003185388.tif 000002
【実用新案登録請求の範囲】
【請求項１】
適宜構成のボックス本体と、このボックス本体の開口部分を施蓋可能な蓋体とを有する集配用キャリーボックスであって、蓋体或いはボックス本体に蓋開閉用レバーを装着し、ボックス本体或いは蓋体にタグ読取り装置を装着し、このタグ読取り装置は、集配者に着脱自在に装着可能となるよう形成されるＩＣタグ付リストバンドのＩＣタグのデーターを非接触状態で読取り可能となるように形成されると共に、ボックス本体と蓋体のロック機構に連繋され、蓋開閉用レバーを手指で作動したときに、ＩＣタグのデーターをタグ読取り装置が読取り、ロック機構を解錠せしめてボックス本体と蓋体のロック状態を解除するように構成し、一方、ボックス本体の開口部分を蓋体で施蓋したときには、前記ロック機構が自動的に施錠されて、ボックス本体と蓋体のロック状態を維持できるように構成したことを特徴とする集配用キャリーボックス。
【請求項２】
前記蓋開閉用レバーを手指で作動したときに、タグ読取り装置に通電されるように構成したことを特徴とする請求項１記載の集配用キャリーボックス。
【請求項３】
前記蓋開閉用レバーを前記ロック機構に連繋したことを特徴とする請求項１または請求項２記載の集配用キャリーボックス。
【請求項４】
適宜構成のボックス本体と、このボックス本体の開口部分を施蓋可能な蓋体とを有する集配用キャリーボックスであって、蓋体或いはボックス本体に蓋開閉用レバーを装着し、ボックス本体或いは蓋体にタグ読取り装置を装着し、このタグ読取り装置は、集配者に着脱自在に装着可能となるよう形成されるＩＣタグ付リストバンドのＩＣタグのデーターを非接触状態で読取り可能となるように形成されると共に、ボックス本体と蓋体のロック機構に連繋され、ＩＣタグ付リストバンドがタグ読取り装置の所定距離内に接近すると、ＩＣタグのデーターをタグ読取り装置が読取って、ロック機構を自動的に解錠せしめてボックス本体と蓋体のロック状態を解除するように構成し、一方、ボックス本体の開口部分を蓋体で施蓋したときには、前記ロック機構が自動的に施錠されて、ボックス本体と蓋体のロック状態を維持できるように構成したことを特徴とする集配用キャリーボックス。
【請求項５】
前記ロック機構は、蓋体がわに固定されるキープレートと、このキープレートの係止孔に係脱自在に係止可能となる係止爪を有すると共に、ボックス本体がわに揺動自在に装着されるキーキャッチャーと、このキーキャッチャーを自在に揺動せしめられると共に、タグ読取り装置に連繋されるソレノイドと、キーキャッチャーの係止爪がキープレートの係止孔に係止されるように、キーキャッチャーに弾発力を常時付勢するスプリングとを備え、ＩＣタグ付リストバンドがタグ読取り装置の所定距離内に接近すると、ＩＣタグのデーターをタグ読取り装置が読取り、ソレノイドを作動せしめてキーキャッチャーをスプリングの弾発力に抗して揺動せしめると共に、キーキャッチャーとキープレートの係止状態を解除して、ロック機構を解錠せしめられるように構成したことを特徴とする請求項１乃至請求項４いずれか記載の集配用キャリーボックス。
【考案の詳細な説明】
【技術分野】
【０００１】
本考案は、例えば、オートバイや自転車等の荷台に固定して使用される集配用キャリーボックスに係り、蓋の施錠、解錠が確実に行えて収納物を安全に守れるようにし、蓋の施錠、解錠が簡単に且つスムーズに行えるように工夫した集配用キャリーボックスに関するものである。
【背景技術】
【０００２】
従来、この種の集配用キャリーボックスにあっては、ボックス本体と蓋体とに跨る部分に錠が配置されており、この錠は、キーを差込み回転せしめることによって、施錠や解錠が行われていた。そして、収納物を頻繁に取出す集配用キャリーボックスにあっては、その施錠や解錠作業がかなり面倒であり、解錠したままの状態で集配作業を行っている集配者も現れるようになっていた。
【０００３】
【特許文献１】特許第３０７９４１４号公報（図１参照）
【考案の開示】
【考案が解決しようとする課題】
【０００４】
そのため、解錠したままで集配作業を行っていると、集配者が集配用キャリーボックスから離れた隙に収納物の盗難被害を受ける危険性があった。しかも、施錠や解錠作業を頻繁に繰り返すことで時間的な無駄が生じ、ひいては、作業能率が悪いものとなる問題点等もあった。
【課題を解決するための手段】
【０００５】
しかして、前述の如き問題点等を解消できるようにすべく、本考案の請求項１記載の集配用キャリーボックスにあっては、適宜構成のボックス本体１と、このボックス本体１の開口部分を施蓋可能な蓋体２とを有する集配用キャリーボックスであって、蓋体２或いはボックス本体１に蓋開閉用レバー３を装着し、ボックス本体１或いは蓋体２にタグ読取り装置４を装着し、このタグ読取り装置４は、集配者に着脱自在に装着可能となるよう形成されるＩＣタグ付リストバンド５のＩＣタグのデーターを非接触状態で読取り可能となるように形成されると共に、ボックス本体１と蓋体２のロック機構に連繋され、蓋開閉用レバー３を手指で作動したときに、ＩＣタグのデーターをタグ読取り装置４が読取り、ロック機構を解錠せしめてボックス本体１と蓋体２のロック状態を解除するように構成し、一方、ボックス本体１の開口部分を蓋体２で施蓋したときには、前記ロック機構が自動的に施錠されて、ボックス本体１と蓋体２のロック状態を維持できるように構成する手段を採用した。
【０００６】
また、請求項２記載の集配用キャリーボックスにあっては、前記蓋開閉用レバー３を手指で作動したときに、タグ読取り装置４に通電されるように構成する手段を採用した。
【０００７】
更に、請求項３記載の集配用キャリーボックスにあっては、前記蓋開閉用レバー３を前記ロック機構に連繋する手段を採用した。
【０００８】
そして、請求項４記載の集配用キャリーボックスにあっては、適宜構成のボックス本体１と、このボックス本体１の開口部分を施蓋可能な蓋体２とを有する集配用キャリーボックスであって、蓋体２或いはボックス本体１に蓋開閉用レバー３を装着し、ボックス本体１或いは蓋体２にタグ読取り装置４を装着し、このタグ読取り装置４は、集配者に着脱自在に装着可能となるよう形成されるＩＣタグ付リストバンド５のＩＣタグのデーターを非接触状態で読取り可能となるように形成されると共に、ボックス本体１と蓋体２のロック機構に連繋され、ＩＣタグ付リストバンド５がタグ読取り装置４の所定距離内に接近すると、ＩＣタグのデーターをタグ読取り装置４が読取って、ロック機構を自動的に解錠せしめてボックス本体１と蓋体２のロック状態を解除するように構成し、一方、ボックス本体１の開口部分を蓋体２で施蓋したときには、前記ロック機構が自動的に施錠されて、ボックス本体１と蓋体２のロック状態を維持できるように構成する手段を採用した。
【０００９】
それから、請求項５記載の集配用キャリーボックスにあっては、前記ロック機構は、蓋体２がわに固定されるキープレート１５と、このキープレート１５の係止孔に係脱自在に係止可能となる係止爪を有すると共に、ボックス本体１がわに揺動自在に装着されるキーキャッチャー１６と、このキーキャッチャー１６を自在に揺動せしめられると共に、タグ読取り装置４に連繋されるソレノイド１７と、キーキャッチャー１６の係止爪がキープレート１５の係止孔に係止されるように、キーキャッチャー１６に弾発力を常時付勢するスプリング１８とを備え、ＩＣタグ付リストバンド５がタグ読取り装置４の所定距離内に接近すると、ＩＣタグのデーターをタグ読取り装置４が読取り、ソレノイド１７を作動せしめてキーキャッチャー１６をスプリング１８の弾発力に抗して揺動せしめると共に、キーキャッチャー１６とキープレート１５の係止状態を解除して、ロック機構を解錠せしめられるように構成する手段を採用した。
【考案の効果】
【００１０】
従って、本考案の請求項１記載の集配用キャリーボックスによれば、蓋開閉用レバー３を手指で作動するだけで、ＩＣタグ付リストバンド５のＩＣタグのデーターをタグ読取り装置４が読取り、ロック機構を解錠せしめてボックス本体１と蓋体２のロック状態を自動的に且つ速やかに解除するようになり、集配用キャリーボックスを簡単に開蓋状態とすることができるようになる。一方、ボックス本体１の開口部分を蓋体２で施蓋したときには、ロック機構が自動的に作動して施錠状態となり、ボックス本体１と蓋体２のロック状態を確実に維持できるようになる。
すなわち、施錠や解錠作業が自動的に行われ、施錠や解錠作業を頻繁に繰り返しても、時間的な無駄を大幅に低減でき、作業能率の優れた集配用キャリーボックスとなる。ひいては、集配者が解錠したままで集配作業を行うことがなくなり、盗難の虞も解消できて、収納物を安全に管理できるようになる。
しかも、構成が簡素で、取扱い易く、使い勝手に優れ、量産に適し、経済的な集配用キャリーボックスとなる。
【００１１】
また、本考案の請求項２記載の集配用キャリーボックスによれば、タグ読取り装置４への通電量を節約でき、より経済的となる。
【００１２】
更に、本考案の請求項３記載の集配用キャリーボックスによれば、前記蓋開閉用レバー３の作動により前記ロック機構によるロック状態を解除する動作と、タグ読取り装置４のＩＣタグの読取りによるロック機構の解錠とが同時に行われないと、蓋体２を移動させることができないようになる。
【００１３】
そして、本考案の請求項４記載の集配用キャリーボックスによれば、ＩＣタグ付リストバンド５がタグ読取り装置４の所定距離内に接近すると、ＩＣタグのデーターをタグ読取り装置４が読取った後、ロック機構を自動的に解錠せしめてボックス本体１と蓋体２のロック状態を自動的に且つ速やかに解除できるようになり、蓋開閉用レバー３を作動するだけで、集配用キャリーボックスを簡単に開蓋状態とすることができるようになる。一方、ボックス本体１の開口部分を蓋体２で施蓋すると、前記ロック機構が自動的に施錠されて、ボックス本体１と蓋体２のロック状態を確実に維持できるようになる。
すなわち、施錠や解錠作業が自動的に行われ、施錠や解錠作業を頻繁に繰り返しても、時間的な無駄を大幅に低減でき、作業能率の優れた集配用キャリーボックスとなる。ひいては、集配者が解錠したままで集配作業を行うことがなくなり、盗難の虞も解消できて、収納物を安全に管理できるようになる。
しかも、構成が簡素で、取扱い易く、使い勝手に優れ、量産に適し、経済的な集配用キャリーボックスとなる。
【００１４】
それから、本考案の請求項５記載の集配用キャリーボックスによれば、前記ロック機構は、確実に且つスムーズに作動して、ボックス本体１と蓋体２のロック状態の維持や解除を行なえるようになる。しかも、ロック機構自体の構成が簡素で、耐久性に優れ、量産に適し、経済的なものとなる。
特に、蓋体２がわに固定されるキープレート１５と、このキープレート１５の係止孔に係脱自在に係止可能となる係止爪を有すると共に、ボックス本体１がわに揺動自在に装着されるキーキャッチャー１６と、このキーキャッチャー１６を自在に揺動せしめられると共に、タグ読取り装置４に連繋されるソレノイド１７と、キーキャッチャー１６の係止爪がキープレート１５の係止孔に係止されるように、キーキャッチャー１６に弾発力を常時付勢するスプリング１８とを備え、ＩＣタグ付リストバンド５がタグ読取り装置４の所定距離内に接近すると、ＩＣタグのデーターをタグ読取り装置４が読取り、ソレノイド１７を作動せしめてキーキャッチャー１６をスプリング１８の弾発力に抗して揺動せしめると共に、キーキャッチャー１６とキープレート１５の係止状態を解除して、ロック機構を解錠せしめられるように構成したので、ロック機構の解錠動作がより速やかに行なわれるようになる。
【考案を実施するための最良の形態】
【００１５】
以下、本考案を図示例に基づいて説明すると、次の通りである。
本考案の集配用キャリーボックスは、適宜構成のボックス本体１と、このボックス本体１の開口部分を施蓋可能な蓋体２とを有するもので、蓋体２或いはボックス本体１に蓋開閉用レバー３を装着し、ボックス本体１或いは蓋体２にタグ読取り装置４を装着し、このタグ読取り装置４は、集配者に着脱自在に装着可能となるよう形成されるＩＣタグ付リストバンド５のＩＣタグのデーターを非接触状態で読取り可能となるように形成されると共に、ボックス本体１と蓋体２のロック機構に連繋され、蓋開閉用レバー３を手指で作動したときに、ＩＣタグのデーターをタグ読取り装置４が読取り、ロック機構を解錠せしめてボックス本体１と蓋体２のロック状態を解除するように構成し、一方、ボックス本体１の開口部分を蓋体２で施蓋したときには、前記ロック機構が自動的に施錠されて、ボックス本体１と蓋体２のロック状態を維持できるように構成したものである。
【実施例】
【００１６】
前記ボックス本体１は、例えば、適宜合成樹脂材によって構成され、上部が開放された容器状に形成されている。しかも、オートバイや自転車等の荷台に固定し易く、耐久性の優れたものが採用される。尚、ボックス本体１は、その内容積を変化させることができるように構成されたものであっても良く、その具体的構成、形状、寸法、材質、開口部分の配設位置、開口部分の寸法等は、適宜自由に設定、変更できるものである。
【００１７】
前記蓋体２は、例えば、適宜合成樹脂材によって構成され、ボックス本体１の上部開口部分をスムーズに且つ確実に開閉できるように形成されている。尚、蓋体２の具体的構成、形状、寸法、材質等は、適宜自由に設定、変更できるものである。
【００１８】
前記蓋開閉用レバー３は、例えば、蓋体２の端縁近傍の内側に隠れるように配置されており、集配用キャリーボックスの外表面側に露出しないように配慮してある。しかも、手指で簡単に押圧操作（或いは、揺動操作）できるように形成されていると共に、手指で押圧操作（或いは、揺動操作）した状態のまま蓋体２を上方に揺動せしめ易いように形成されている。すなわち、手指で蓋開閉用レバー３を操作したままの状態で、ボックス本体１の上部開口部分を開蓋状態にできるように構成されている。
尚、図示例にあっては、蓋開閉用レバー３は、軸ピンを介して蓋体２の内側に揺動自在となるように装着されていると共に、捩りコイルバネを介して所定揺動向きに弾発力が常時付勢されるように構成してある。すなわち、捩りコイルバネの弾発力に抗して蓋開閉用レバー３を揺動せしめるように操作することで、蓋体２を開蓋できるようになる。
更に、蓋開閉用レバー３の適宜位置には、突出杆が突設されており、この突出杆の先端部分にマグネット１０が装着されている。しかも、このマグネット１０は、蓋開閉用レバー３を手指で操作したときに、ボックス本体１の所定位置に配したリードスイッチ１１に接近して、リードスイッチ１１をＯＮ状態にできるように構成されている。そして、このリードスイッチ１１は、タグ読取り装置４への電気供給スイッチとなっており、省電力と誤動作防止を兼ねている。
ところで、蓋開閉用レバー３は、後述するロック機構に連繋されたものであっても良いし、或いは、タグ読取り装置４に連繋されて、蓋開閉用レバー３の作動時にのみタグ読取り装置４への通電が行われるように構成したものであっても良いし、或いは、これら両方を備えたものであっても良い。尚、蓋開閉用レバー３の具体的構成、形状、寸法、材質、配設位置、マグネット１０の具体的構成、形状、寸法、材質、取付け手段、配設位置、リードスイッチ１１の具体的構成、形状、寸法、配設位置等は、適宜自由に設定、変更できるものである。
【００１９】
前記タグ読取り装置４は、例えば、ボックス本体１内に配されると共に、集配用キャリーボックスが閉蓋状態にあるときの蓋開閉用レバー３の近傍となるように配されており、ＩＣタグ付リストバンド５のＩＣタグの情報を非接触状態で読取れるように構成されている。すなわち、集配者がＩＣタグ付リストバンド５を装着した方の手で蓋開閉用レバー３を操作しようとすると、所定範囲内に接近したＩＣタグ付リストバンド５のＩＣタグの情報を正確に読取れると共に、その情報を判定してからロック機構を解錠できるように構成されている。尚、タグ読取り装置４の具体的構成、形状、寸法、配設位置等は、適宜自由に設定、変更できるものである。
【００２０】
前記ロック機構は、例えば、蓋体２によるボックス本体１開口部分の施蓋状態を維持できるようにしたり（施錠状態）、或いは、蓋体２によるボックス本体１開口部分の施蓋状態を解除したり（解錠状態）できるように構成されている。
そして、このロック機構をより具体的に説明すると、蓋体２がわに固定されるキープレート１５と、このキープレート１５の係止孔に係脱自在に係止可能となる係止爪を有すると共に、ボックス本体１がわに揺動自在に装着されるキーキャッチャー１６と、このキーキャッチャー１６を自在に揺動せしめられると共に、タグ読取り装置４に連繋されるソレノイド１７と、キーキャッチャー１６の係止爪がキープレート１５の係止孔に係止されるように、キーキャッチャー１６に弾発力を常時付勢するスプリング１８とを備えたものとなっている。すなわち、ＩＣタグ付リストバンド５がタグ読取り装置４の所定距離内に接近すると、ＩＣタグのデーターをタグ読取り装置４が読取り、ソレノイド１７を作動せしめてキーキャッチャー１６をスプリング１８の弾発力に抗して揺動せしめると共に、キーキャッチャー１６とキープレート１５の係止状態を解除して、ロック機構を解錠せしめられるよう構成されている。
しかも、このロック機構を施錠するときは、ボックス本体１の上部開口部分を施蓋するように蓋体２を揺動せしめると、キープレート１５の先端部分がキーキャッチャー１６の係止爪の傾斜面部分を摺動すると共に、キーキャッチャー１６をスプリング１８の弾発力に抗して揺動せしめ、係止爪の先端部分がキープレート１５の係止孔部分に臨むようになると、スプリング１８の弾発力によってキーキャッチャー１６が揺動して、係止爪が係止孔に係止されて、ロック機構が施錠されるようになる。
尚、ロック機構の具体的構成、形状、寸法、材質、配設位置等は、適宜自由に設定、変更できるものである。
【００２１】
前記キープレート１５は、例えば、取付けネジ等を介して蓋体２の裏面部分に固定されると共に、矩形板状部分がボックス本体１に向って突出するように形成され、この矩形板状部分の先端がわ部分に矩形状の係止孔が穿設されている。尚、キープレート１５の具体的構成、形状、寸法、材質、配設位置等は、適宜自由に設定、変更できるものである。
【００２２】
前記キーキャッチャー１６は、例えば、その中央部分が軸ピン等を介して揺動自在となるようにボックス本体１がわに装着され、その一端部分が略フック状を呈する係止爪となり、キープレート１５の係止孔に係脱自在に係止されるように構成されている。また、その他端部分が略Ｌ字状に形成され、その先端寄り部分にはソレノイド１７の作動杆が装着され、先端部分にはスプリング１８の一端が装着されている。尚、キーキャッチャー１６の具体的構成、形状、寸法、材質、配設位置等は、適宜自由に設定、変更できるものである。
【００２３】
前記ソレノイド１７は、例えば、タグ読取り装置４に連繋されると共に、キーキャッチャー１６近傍に配されており、タグ読取り装置４からの信号によって、その作動杆が作動してキーキャッチャー１６を揺動せしめられるように構成されている。尚、ソレノイド１７の具体的構成、形状、寸法、材質、配設位置等は、適宜自由に設定、変更できるものである。
【００２４】
前記スプリング１８は、例えば、コイルスプリング状を呈し、引戻し弾発力をキーキャッチャー１６に付勢できるように構成されている。尚、スプリング１８の具体的構成、形状、寸法、材質、配設位置等は、適宜自由に設定、変更できるものである。
【００２５】
ところで、ロック機構は、これをマスターキーによって機械的に作動できるように構成しても良い。すなわち、タグ読取り装置４等にトラブルが発生したときに、マスターキーによって機械的に解錠できるように構成しても良い。
具体的には、ボックス本体１の所定位置にマスターキーによって解錠可能なメカニカルキー２０を配し、このメカニカルキー２０によって作動する作動片２１を設ける。そして、この作動片２１は、キーキャッチャー１６に向って揺動すると共に、その先端部分がキーキャッチャー１６に当接して、キープレート１５の係止孔とキーキャッチャー１６の係止爪との係止状態を強制的に解除できるように構成される。
しかも、メカニカルキー２０は、ボックス本体１で隠れるように配置され、ボックス本体１の一部を取外すことにより、メカニカルキー２０が露出するように形成されている。すなわち、このメカニカルキー２０は、非常時のみに使用されるようにしてある。
尚、メカニカルキー２０の具体的構成、形状、寸法、材質、配設位置、作動片２１の具体的構成、形状、寸法、材質、配設位置等は、適宜自由に設定、変更できるものである。
【００２６】
前記ＩＣタグ付リストバンド５は、例えば、バンド本体と、このバンド本体に内蔵されるＩＣタグとからなり、バンド本体は、例えば、手首部分に着脱容易に装着できるものであれば良く、また、ＩＣタグは、前記タグ読取り装置４に適合する固有のデーターを備えたものが採用される。尚、ＩＣタグ付リストバンド５の具体的構成、形状、寸法、材質、バンド本体の具体的構成、形状、寸法、材質、ＩＣタグの具体的構成、形状、寸法、材質、配設位置等は、適宜自由に設定、変更できるものである。
【００２７】
図中２５は、タグ読取り装置４に接続される認証確認用ＬＥＤで、この認証確認用ＬＥＤ２５は、例えば、ＩＣタグ付リストバンド５のＩＣタグが所定距離に接近し、これをタグ読取り装置４で感知したときに点灯するように設けられたもので、この点灯状態は集配用キャリーボックス（ボックス本体１）の外部から視認できるように構成されている。すなわち、認証確認用ＬＥＤ２５は、ボックス本体１の内側に配されると共に、ボックス本体１の側壁部の一部を薄く形成した部分に臨むように配され、認証確認用ＬＥＤ２５が点灯したときに、その光が薄く形成した側壁部分を透過し、これを外部から視認できるように構成されており、ボックス本体１の外表面部分をシンプルに形成できるように配慮してある。尚、認証確認用ＬＥＤ２５の具体的構成、形状、寸法、材質、配設位置等は、適宜自由に設定、変更できるものである。
【００２８】
図中２６は、タグ読取り装置４に接続されるアンテナで、このアンテナ２６は、ＩＣタグ付リストバンド５のＩＣタグが所定距離に接近してきたときに、これを正確に且つ確実に感知できるように設けられたものである。尚、アンテナ２６の具体的構成、形状、寸法、材質、配設位置等は、適宜自由に設定、変更できるものである。
【００２９】
図中２７は、蓋体２が揺動して集配用キャリーボックスが開蓋状態となったときに自動的に点灯するようにした照明用ＬＥＤで、この照明用ＬＥＤ２７は、集配用キャリーボックス内を照らして、収納物がよく確認できるように設けられたものである。しかも、集配用キャリーボックスが閉蓋中は、自動的に消灯するように構成されている。尚、照明用ＬＥＤ２７の具体的構成、形状、寸法、材質、配設位置等は、適宜自由に設定、変更できるものである。
【００３０】
本考案の集配用キャリーボックスは、前述の如く構成されており、次にその使用例について説明すると、先ず、集配者が所定のＩＣタグ付リストバンド５を手首部分に装着し、この手で蓋体２の内面側に設けた蓋開閉用レバー３を作動すると、マグネット１０がリードスイッチ１１に接近して、タグ読取り装置４に電源からの電気を供給すると共に、ＩＣタグ付リストバンド５のＩＣタグのデーターをタグ読取り装置４が読取って、適合するＩＣタグか否かを判定する。
そして、適合しない場合は、ロック機構は施錠状態のままとなり、認証確認用ＬＥＤ２５が点灯しない。
また、適合する場合は、認証確認用ＬＥＤ２５が点灯し、タグ読取り装置４がソレノイド１７を作動せしめ、ロック機構を解錠する。すなわち、ソレノイド１７の作動杆がキーキャッチャー１６をスプリング１８の弾発力に抗して揺動させ、キーキャッチャー１６の係止爪とキープレート１５の係止孔との係止状態を解除する。
それから、蓋体２を揺動させてボックス本体１の上部開口部分を開放させて、集配用キャリーボックス内の収納物を取出せるようになる。このとき、照明用ＬＥＤ２７が点灯して、集配用キャリーボックス内を照らし、収納物を視認し易くする。
また、ボックス本体１内の収納物を取出した後は、蓋体２を揺動させてボックス本体１の上部開口部分を一旦閉じると、ロック機構が自動的に施錠状態となる。すなわち、蓋体２を揺動せしめると、キープレート１５の先端部分がキーキャッチャー１６の係止爪の傾斜面部分を摺動すると共に、キーキャッチャー１６をスプリング１８の弾発力に抗して揺動せしめ、係止爪の先端部分がキープレート１５の係止孔部分に臨むようになると、スプリング１８の弾発力によってキーキャッチャー１６が揺動して、係止爪が係止孔に係止されて、ロック機構が施錠される。このとき、照明用ＬＥＤ２７は自動的に消灯するようになる。
【図面の簡単な説明】
【００３１】
【図１】本考案の集配用キャリーボックスを例示する斜視図である。
【図２】本考案の集配用キャリーボックスを例示する部分概略断面図である。
【図３】本考案の集配用キャリーボックスを例示する部分概略断面図である。
【図４】本考案の集配用キャリーボックスのロック機構を例示する概略正面図である。
【図５】本考案の集配用キャリーボックスのロック機構を例示する概略側面図である。
【図６】本考案の集配用キャリーボックスのロック機構を例示する概略側面図である。
【符号の説明】
【００３２】
１      ボックス本体
２      蓋体
３      蓋開閉用レバー
４      タグ読取り装置
５      ＩＣタグ付リストバンド
１０    マグネット
１１    リードスイッチ
１５    キープレート
１６    キーキャッチャー
１７    ソレノイド
１８    スプリング
２０    メカニカルキー
２１    作動片
２５    認証確認用ＬＥＤ
２６    アンテナ
２７    照明用ＬＥＤ
【図１】
0003185388.tif 000003
【図２】
0003185388.tif 000004
【図３】
0003185388.tif 000005
【図４】
0003185388.tif 000006
【図５】
0003185388.tif 000007
【図６】
0003185388.tif 000008